(57)【要約】      （修正有）【課題】ローラコンベアを使用することがない軌道と、その軌道に案内されて軌道上を走行するキャスター付台車とよりなり、容易にレイアウトの組み立て変更が可能で、台車の運行が手動でも自動でも可能の簡易搬送装置を得る。【解決手段】簡易搬送装置１であって、所定間隔を有して平行に設置された対の縦梁材５のそれぞれの、両側面に、縦梁材の上面より上縁を突出して案内板１０を設け、案内板の間に位置する縦梁材の上面１２を走行案内面としてなる軌道２と、前記軌道の走行案内面に接して案内板間を転動するキャスターを有する台車３とよりなり、前記対の縦梁材は、それを所定高さに保持する対の脚支柱４間に、異なる幅を有する複数種の横間隔固定部材の内の選択された一の横間隔固定部材を設けることによって所定軌間を保持し、脚支柱と横間隔固定部材の接続は螺子により取り外し自在とされている。【選択図】図１
0003139541.tif 000002
【実用新案登録請求の範囲】
【請求項１】
所定間隔を有して平行に設置された対の縦梁材のそれぞれの、両側面に、縦梁材の上面より上縁を突出して案内板を設け、案内板の間に位置する縦梁材の上面を走行案内面としてなる軌道と、前記軌道の走行案内面に接して案内板間を転動するキャスターを有する台車とよりなり、前記対の縦梁材は、それを所定高さに保持する対の脚支柱間に、異なる幅を有する複数種の横間隔固定部材の内の選択された一の横間隔固定部材を設けることによって所定軌間を保持し、脚支柱と横間隔固定部材の接続は螺子により取り外し自在とされたことを特徴とする簡易搬送装置。
【請求項２】
キャスターには、キャスターを駆動するモーターを備えたことを特徴とする請求項１記載の簡易搬送装置。
【請求項３】
台車には、モーター用ドライバー及びモーター駆動用バッテリーを備えたことを特徴とする請求項１記載の簡易搬送装置。
【請求項４】
横間隔固定部材は幅方向の長さの異なる複数種を有し、軌間に応じ適宜選択し脚支柱間に設けることを特徴とする請求項１記載の簡易搬送装置。
【考案の詳細な説明】
【技術分野】
【０００１】
本考案は、工場等における部品の組立等に使用する作業台を可動式にし、作業工程の進捗に応じて移動させる場合に使用出来る、作業台を兼ねる搬送装置であって、加工対象の部品等の種類に応じ、その作業台となっている作業台車の幅を変更するような場合、該台車を案内する軌道の軌間を変更することも出来る簡易搬送装置である。
【背景技術】
【０００２】
物品の搬送手段として、ローラコンベア，ベルトコンベア等が使用されている。ローラコンベアは複数ローラを並列しローラ両側端に突出したローラ軸をフレームで支持するのが一般であり、その構成（特許文献１参照）は一旦組み立てた後は、安易にレイアウトを変更することの出来るものではなく、作業工程の変化に容易に追随することは難しかった。
【特許文献１】特許第３７８４０１２号公報
【考案の開示】
【考案が解決しようとする課題】
【０００３】
物品等の搬送手段として用いられているローラコンベア，ベルトコンベア等の装置が、一旦レイアウトが決定し組み立てられてしまうと、そのレイアウトの改良或は搬送物品の形態に応じた搬送路幅の変更等には非常な手間を要し安易に行うことが出来なかった。
【０００４】
上記の点に鑑みて、本考案にあっては、レイアウトに応じて容易に組み立てが可能で、ローラコンベアを使用することがない軌道と、その軌道に案内されて軌道上を走行するキャスター付台車とよりなり、容易にレイアウトの組み立て変更が可能で、台車の運行が手動でも自動でも可能の簡易搬送装置を得ることを目的としている。
【課題を解決するための手段】
【０００５】
請求項１記載の考案は、簡易搬送装置であって、所定間隔を有して平行に設置された対の縦梁材のそれぞれの、両側面に、縦梁材の上面より上縁を突出して案内板を設け、案内板の間に位置する縦梁材の上面を走行案内面としてなる軌道と、前記軌道の走行案内面に接して案内板間を転動するキャスターを有する台車とよりなり、前記縦梁材は、それを所定高さに保持する対の脚支柱間に、異なる幅を有する複数種の横間隔固定部材の内の選択された一の横間隔固定部材を設けることによって所定軌間を保持し、脚支柱と横間隔固定部材の接続は螺子により取り外し自在とされている。
請求項２記載の考案は、請求項１記載の簡易搬送装置であって、キャスターには、キャスターを駆動するモーターを備えている。
請求項３記載の考案は、請求項１記載の簡易搬送装置であって、台車には、モーター用ドライバー及びモーター駆動用バッテリーを備えている。
請求項４記載の考案は、請求項１記載の簡易搬送装置であって、横梁材は長さの異なる複数種を有し、軌間に応じ適宜選択し縦梁材間に設けている。
【考案の効果】
【０００６】
本考案の簡易搬送装置は、縦梁材の上面を走行案内面とした軌道と、前記軌道の走行案内面に接して転動するキャスターを有する台車とよりなるものであるために、ローラコンベアを使用することなく、縦梁材としては例えばアルミフレームを使用し、台車は一般市販品を用いることが出来、簡単に組立できる。
【０００７】
コンベアの幅は縦梁を支持する脚支柱間の間隔を複数種の寸法の異なる横間隔固定板の内の一種を採用することで容易に変更出来、適宜寸法の台車にも対応させ得る。台車は一般市販品を使用するこが可能であるので使用上選択の幅は多くなり、設置費用も少なくなる。
また、キャスターにはキャスター駆動モーターを備えることにより、台車を自動走行させることも出来る。
【考案を実施するための最良の形態】
【０００８】
本考案簡易搬送装置１について図面と共に次に説明する。
図１は平面図、図２は側面図である。図示の例は所定高さの位置にある軌道２上の作業台を兼ねた台車３を示し、軌道２は脚支柱４で所定高さに支えられている。軌道２は、所定間隔の軌間Ｇを有して平行に設置された対の縦梁材５，５を脚支柱４，４で支持してなり、縦梁材５の下面を支える状態に脚支柱４を直立させている。縦梁材５と脚支柱４との接点には、図３に示す如きブラケット７の交差する２つの面７ａ，７ｂを交差する２つの縦梁材５及び脚支柱４に当てがい、ボルト６等でブラケット７を脚支柱４と縦梁材５とに固定することで縦横の柱と梁材を一体化している。
【０００９】
横間隔固定板９は長さの異なる複数種を取り揃えており、後述する台車の幅に応じて縦梁５，５間の間隔即ちゲージＧを変更することが出来るように、組立時に所望のゲージに対応した幅の固定板９を選択使用して軌道２を組み立てる。
【００１０】
脚支柱４の下端部にはその長さを固定出来るボルト８等を設け脚支柱４の高さを微調節することを可能にしている。
上記縦梁材５，脚支柱４は市販のアルミフレームを用いるのが安価であり、かつ、加工が容易であるために最適である。然し、特にアルミフレームに限定されることなく、例えば断面円形の丸棒或いは筒状体であっても差支えない。
【００１１】
縦梁材５の両側面には案内板１０，１０を設け案内板１０の上縁１１を縦梁材５の上面１２より突出させることにより、両側の案内板１０，１０と縦梁材５の上面１２とよりなる大略凵字形の走行案内空間１３を形成する。
【００１２】
上記走行案内空間１３にキャスター１４を嵌入して台車３が軌道２に載置されている。キャスター１４は垂直方向軸１５の下部に車輪１６を転動自在にして支持しており、車輪１６を前記縦梁材５の軌道２の案内板１０間の走行案内空間１３に挿入した状態で車輪１６は縦梁材５の上面１２上を転動することになる。
【００１３】
上記キャスター１４は、台車３の台板１７の図示の例では４隅に設けられている。台板１７はその上に移送物品を載置し移動し或いは、台板１７上で各種パーツの組立等を流れ作業で行う。
【００１４】
台車３を移動するには人力により人手で押し出すことの他、キャスター１４にモーター１８を付設し電力により移動することも可能で、前記台車の台板１７下部にはモーター用ドライバー１９更には必要に応じモーター駆動用のバッテリー２０を備え（図示せず）ている。
【００１５】
本考案簡易搬送装置は、台車３に物品等を乗せ移動し、或るいは、物品制作過程において部品パーツを台車３の台板１７に載置して、台板１７上で適宜加工を行ない、所定の目的作業が終了したときに台車３を手撓或いは電動で次工程に移動するが如き態様で使用されるが、移動する物品或いは工作する物品等によっては、台車３の幅方向の大きさを変更しなければならなくなる。
そのために、本考案にあっては台車３を移動させる軌道３の幅（ゲージ）を変更することにより目的を達している。そのため、あらかじめ、使用する台車３のゲージＧに合った長さの横間隔固定材９を選んで軌道２を組み立て使用する。そして、台車３に載置する部品等が変更された場合には、単に軌道２の横間隔固定材９を所定幅のものと交換して軌道２を組み立てて使用する。
【００１６】
台車３が軌道２上を移動する際は前記の如く手動或いは電動により行なはれるが、軌道２の縦梁材５はその両側面に案内板１０を有し、縦梁材５の上面１２上には走行案内空間１３を構成しておりキャスター１４は該走行案内空間１３に車輪１５を嵌合して転動しているので、台車３の両底部編地３位置において左右の車輪１６がそれぞれ車輪１６の両側から保持されるため、簡単な構造の軌道であっても走行上の安全性は高いと言える。
軌道のゲージの変更は、横間隔固定板９を、それを固定しているボルト等を取り外すことにより解体し、別途用意してある異なる幅の横間隔固定板９と交換することだけで任意にゲージの変更を行なうことが出来、搬送物或いは交差作物の変更にも容易に対応できる。
【産業上の利用可能性】
【００１７】
本考案の簡易搬送装置は、対に設けられた軌道の縦梁材のそれぞれを所定高さに支持している脚支柱を、軌道ゲージに対応して所定間隔に固定している横間隔固定板９を変更することが可能で、容易に任意のゲージの搬送装置に変更することが出来るので、多品種少量生産の如き小規模生産工程の作業台などに有効に利用出来る。
【図面の簡単な説明】
【００１８】
【図１】本考案装置の平面図。
【図２】同正面図。
【図３】ブラケットの使用状態を示す縦梁材と脚支柱との接続部位の斜視図。
【符号の説明】
【００１９】
１  簡易搬送装置
２  軌道
３  台車
４  脚支柱
５  縦梁材
６，８  ボルト  
７，７ａ，ｂ  ブラケット
９  横間隔固定板
１０  案内板
１１  上縁
１２  上面
１３  走行案内空間
１４  キャスター
１５  垂直方向軸
１６  車輪
１７  台板
１８  モーター
１９  モーター用ドライバー
２０  バッテリー
【図１】
0003139541.tif 000003
【図２】
0003139541.tif 000004
【図３】
0003139541.tif 000005